(57)【特許請求の範囲】
【請求項１】
画像情報を担持する放射線を検出して該画像情報を担持する電気的な画像信号を出力する放射線固体検出センサと、前記放射線固体検出センサの前側に配設された画像を表示する放射線透過性の表示器であって、表示信号を受け取って表示動作を行う、表示内容を書換え可能な表示器とを備えてなることを特徴とする放射線固体検出装置。
【請求項２】
前記表示器が有機ＥＬにより構成されていることを特徴とする請求項１記載の放射線固体検出装置。
【請求項３】
前記表示器が液晶により構成されていることを特徴とする請求項１記載の放射線固体検出装置。
【請求項４】
前記液晶が、反射型であることを特徴とする請求項３記載の放射線固体検出装置。
【請求項５】
前記表示器の放射線の吸収率が２０％以下であることを特徴とする請求項１から４いずれか１項記載の放射線固体検出装置。
【請求項６】
前記表示器の厚さが１０ｃｍ以下であることを特徴とする請求項１から５いずれか１項記載の放射線固体検出装置。
【請求項７】
前記表示器が被撮影者に与える情報を表示するものであることを特徴とする請求項１から６いずれか１項記載の放射線固体検出装置。
【請求項８】
前記表示器が撮影者に与える情報を表示するものであることを特徴とする請求項１から６いずれか１項記載の放射線固体検出装置。
【請求項９】
前記表示器が、前面視において、前記放射線固体検出センサと概略同じ大きさであることを特徴とする請求項１から８いずれか１項記載の放射線固体検出装置。
【請求項１０】
音を発生するスピーカをさらに備えてなることを特徴とする請求項１から９いずれか１項記載の放射線固体検出装置。
【請求項１１】
前記表示器に表示された画像を可視画像としてプリントする画像出力部をさらに備え、該画像出力部と前記放射線固体検出センサと前記表示器とを１つの筐体に収容してなることを特徴とする請求項１から９いずれか１項記載の放射線固体検出装置。
【発明の詳細な説明】
【０００１】
【発明の属する技術分野】
本発明は、放射線固体検出センサで放射線画像情報を検出すると共に放射線撮影における撮影情報等を表示する表示器を備えた放射線固体検出装置に関する。
【０００２】
【従来の技術】
画像情報を担持する放射線を検出して電気的な画像信号に変換し出力する放射線固体検出センサは、主として半導体を用いて形成されており、例えば入射した放射線を直接電荷に変換しまたは蛍光体等を用いて光に変換した後に該光を電荷に変換し、この電荷を一旦蓄電部に蓄積し、その後この蓄積された電荷を前記画像情報を表す電気的画像信号に変換し外部に出力するものである。
【０００３】
この放射線固体検出センサには種々の方式のものがあり、例えば、放射線を電荷に変換する電荷生成プロセスの面からは、照射された放射線を蛍光体によって光（蛍光）に変換しこの光を光電変換素子で検出して信号電荷を得、この信号電荷を光電変換素子の蓄電部に一旦蓄積し、蓄積された信号電荷を電気信号（画像信号）に変換して出力する光変換方式の放射線固体検出センサ（例えば特開昭59-211263 号、特開平2-164067号、ＰＣＴ国際公開第ＷＯ92/06501号等）や、放射線の照射により導電性を呈する放射線導電体に放射線を照射することにより発生した信号電荷を電荷収集電極に引き寄せて蓄電部に一旦蓄積し、蓄積された信号電荷を電気信号に変換して出力する直接変換方式の放射線固体検出センサ（特開平1-216290号等）等が知られている。
【０００４】
一方、蓄積された電荷を外部に読み出す電荷読出プロセスの面からは、蓄電部と接続されたＴＦＴ（薄膜トランジスタ）を走査駆動して読み出すＴＦＴ読出方式のものや、読取光を検出器に照射して読み出す光読出方式のもの等が知られている。また、光読出方式の中には、前記直接変換方式と光読出方式とを組み合わせた本願出願人による特願平10-232824号 や同10−271374号において提案している改良型直接変換方式のもの等がある。
【０００５】
これらの放射線固体検出センサを用いた放射線固体検出装置によって、被撮影者の患部の放射線画像を撮影するときには、始めに撮影者が被撮影者のところに行き、撮影者が手取り足取り被撮影者に体位や配置の指示を与え、被撮影者を所定の位置・方向に配置し、体位（姿勢）を整えさせる。次に、撮影者は照射野確認用の照明で、放射線を照射して撮影する領域（照射野）を確認しながら放射線の照射位置や照射領域（照射野の絞り）を調節し、適切な位置や範囲に放射線が照射されるようにする。つづいて、撮影者は、放射線照射スイッチや撮影条件を設定するコントローラが設置された場所にもどり、被撮影部に放射線を照射し撮影を行う。なお、同一被撮影者について複数の撮影を行う場合、例えば正面、側面、斜位などと体位を変える場合には撮影者は上記作業を繰り返して撮影を行う。
【０００６】
また、手足や小児など大きな撮影面積を必要としない部位については、放射線固体検出センサの検出面よりも小さな領域を有効画像領域とし、その有効画像領域のみから画像データを取得することによりデータを格納するメモリ領域を節約している。
【０００７】
【発明が解決しようとする課題】
しかしながら、撮影者が被撮影者のところに行き、適切な姿勢で撮影領域内に被撮影部が撮影されるように手取り足取り体位や配置の指示を与え、その後コントローラが設置された場所に戻り撮影を行い、次の撮影のときには再び被撮影者のところに行き指示を与えるという撮影作業の繰り返しでは効率が悪く、また、撮影者の口頭の指示だけにより被撮影者に姿勢を整えさせ撮影を行おうとしても、被撮影者はどのような体位をとればよいのか容易には理解できないので、結局、撮影に多くの時間を費やすと共に、撮影者、被撮影者双方の撮影のセッティングに要する負担が大きくなり装置の利用効率も悪くなる。
【０００８】
本発明は、上記の事情に鑑みてなされたものであり、撮影のセッティングに要する時間の短縮等により、撮影者および被撮影者の負担を軽減すると共に放射線撮影装置の利用効率を向上することができる放射線固体検出装置を提供することを目的とする。
【０００９】
【課題を解決するための手段】
本発明の放射線固体検出装置は、画像情報を担持する放射線を検出して該画像情報を担持する電気的な画像信号を出力する放射線固体検出センサと、前記放射線固体検出センサの前側に配設された画像を表示する放射線透過性の表示器とを備えてなることを特徴とするものである。
【００１０】
前記表示器としては、有機ＥＬあるいは液晶により構成されたものを使用することができる。前記液晶としては、反射型のものを使用することができる。
【００１１】
前記表示器は、放射線の吸収率が２０％以下であることが好ましく、また、厚さが１０ｃｍ以下であることが好ましい。
【００１２】
前記表示器は、撮影者または被撮影者に与える情報を表示するものとすることができる。
【００１３】
前記表示器は、前面視において、前記放射線固体検出センサと概略同じ大きさであることが好ましい。
【００１４】
前記放射線固体検出装置は、音を発生するスピーカをさらに備えてなるものとすることができる。
【００１５】
前記放射線固体検出装置は、前記表示器に表示された画像を可視画像としてプリントする画像出力部をさらに備え、該画像出力部と前記センサと前記表示器とを１つの筐体に収容してなるものとすることができる。
【００１６】
なお、前記「有機ＥＬ」とは、有機化合物の発光層を電極で挟んだ平板状の表示素子であり、その発光は、一方（前面）の電極から注入されたホールと他方（背面）の電極から注入された電子が発光層で再結合し、発光中心である蛍光色素などを励起することにより起こる。
【００１７】
【発明の効果】
本発明の放射線固体検出装置によれば、放射線固体検出センサの前側に画像を表示する放射線透過性の表示器を配設したことにより、撮影者は放射線固体検出センサの前側に配設された表示器に、例えば照射野を表示させ、その領域に対応させて放射線源の絞りを調節したり、手足や小児など大きな撮影面積を必要としない部位について放射線固体検出センサの検出面よりも小さな領域を有効画像領域として設定するときには、この有効画像領域を表示器に表示させることにより、誤って有効画像領域外に被撮影部を撮影してしまうことを防止したり、被測定者に要求される体位や配置に関する図および挿し絵を表示させ、さらに撮影に関する注意点等を文字表示させ被撮影者に撮影のセッティングに関する指示を与えたりすることができる。
【００１８】
一方被撮影者の観点では、例えば撮影者からの口頭による指示に加えて表示器に表示された文字、図および挿し絵等による指示を見ることにより、どのような注意点があり、どのような姿勢をとれば良いのか等の指示内容を容易に理解することができ、自分自身で被撮影部を移動し向きを変えて、診断に供する有用な情報が得られるような配置となるように姿勢を整えることができるので、撮影者および被撮影者双方の撮影にかかわる負担を軽減することができると共に、撮影のセッティングに要する時間も短縮されるので放射線撮影装置の利用効率を向上することができる。
【００１９】
【発明の実施の形態】
以下、本発明の具体的な実施の形態について図面を用いて説明する。
【００２０】
図１は、本発明を適用した実施の形態による放射線固体検出装置の概略構成を示す図である。
【００２１】
本実施の形態による放射線固体検出装置１００は、画像情報を担持する放射線を検出して、該画像情報を担持する電気的な画像信号を出力する放射線固体検出センサ１０と、文字、図、挿し絵あるいは照射野等を表示する表示器２０と、表示器２０に表示された画像情報を可視画像としてプリントする画像出力部３０と、音を発生するスピーカ部４０と、画像出力部３０、表示器２０、およびスピーカ部４０を制御する制御処理部５０と、制御処理部５０に指令を与える操作パネル６０とを備えている。なお、放射線固体検出装置１００は、スタンド４００によって放射線固体検出装置１００の上下の位置を被写体３００の撮影部位に合わせて調節可能に保持されている。
【００２２】
制御処理部５０は、図２に示すように、放射線固体検出センサ１０から出力された検出画像信号Ｄａを入力し記憶する画像信号メモリ５１と、画像信号メモリ５１から出力された検出画像信号Ｄａおよび操作パネル６０から出力された指令信号Ｃｄを入力し、表示器２０、画像出力部３０およびスピーカ部４０にそれぞれの動作に対応する表示信号Ｈｊ、画像出力信号Ｇｓおよび音声信号Ｓｐを出力する制御ＣＰＵ５２により構成されている。
【００２３】
表示器２０は、有機ＥＬからなり、放射線の吸収率が２０％以下、厚さが１０ｃｍ以下で、放射線源２００に向う側を前面として配設され、前面視において、つまり図１中の矢印Ａ方向から見て放射線固体検出センサ１０と概略同じ大きさのものである。
【００２４】
次に、上記第１の実施の形態における作用について説明する。
【００２５】
まず操作パネル６０から撮影に必要な情報（例えば、被撮影箇所、撮影枚数、撮影の向き等）が入力される。操作パネル６０から入力された撮影に関する情報は、指令信号Ｃｄに変換され、制御ＣＰＵ５２に対して出力される。制御ＣＰＵ５２は、指令信号Ｃｄの入力により得られた撮影に関する情報に応じて、表示器２０を動作させる表示信号Ｈｊおよびスピーカ部４０を動作させる音声信号Ｓｐをそれぞれ表示器２０およびスピーカ部４０に対して出力し、前記信号を受け取った表示器２０およびスピーカ部４０では、それぞれの信号に従った、撮影のセッティングに関する動作が行なわれる。
【００２６】
表示器２０のセッティングに関する動作の具体例としては、例えば、図３に示すような照射野の輪郭を表示したり、図４（ａ）に示すように、被撮影者に対して撮影部位である胸部の挿し絵を表示したり、図４（ｂ）および（ｃ）に示すように文字で撮影時の注意点を表示したり、被撮影者が子供の場合には図４（ｄ）に示すように動画を表示して緊張を緩和させたりすることができる。
【００２７】
また、スピーカ部４０のセッティングに関する動作の具体例としては、例えば、撮影時の注意点を被撮影者の年齢に応じた言葉でアナウンスしたり、緊張を緩和させるための音楽を流したりする。
【００２８】
上記のことにより、撮影者は、被撮影者に対し口頭によって指示を与える以外に、表示器２０およびスピーカ部４０を利用して指示を与えることができる。一方、被撮影者は、撮影者の口頭による指示に従うと共に、表示器２０に表示された胸部等の挿し絵に合わせて姿勢を整えたり、スピーカ部４０から聞こえる音楽およびアナウンスに合わせて呼吸を整えたりすることができるので、撮影者は被測定者のところに行って手取り足取り指示を与える必要はない。
【００２９】
被撮影者の撮影部位のセッティングが完了すると次に撮影を行う。放射線源２００から発せられた放射線Ｈａは、被写体３００を透過し該被写体３００の画像情報を担持した放射線Ｈｂとして放射線固体検出センサ１０に到達する（図１参照）。この放射線Ｈｂは放射線固体検出センサ１０によって検出され、電気的な画像信号である検出画像信号Ｄａに変換されて出力され、画像信号メモリ５１に記憶される（図２参照）。複数の部位および向きを撮影する情報が操作パネル６０から入力されている場合には、制御ＣＰＵ５２は表示器２０およびスピーカ部４０に対しそれぞれを動作させる信号を複数回出力し、表示器２０およびスピーカ部４０はそれぞれの信号に従って動作を複数回繰り返し、複数回の撮影が行われ、それらの画像は全て検出画像信号Ｄａに変換されて画像信号メモリ５１に記憶され撮影は完了する。
【００３０】
また、手足や小児など大きな撮影面積を必要としない部位に関して、放射線固体検出センサ１０の検出面よりも小さな領域を有効画像領域として撮影を行う場合には、その領域を表示器に表示することにより、誤って有効画像領域外に被撮影部を撮影してしまうことを防止することができる。
【００３１】
撮影が完了した後に撮影品質をチェックする場合には、操作パネル６０から撮影結果を表示させる命令を与える。この命令受けた制御ＣＰＵ５２は、画像信号メモリ５１に記憶された検出画像信号Ｄａを入力し、表示信号Ｈｊに変換して表示器２０に出力する。表示信号Ｈｊを入力した表示器２０には、図５に示すような撮影の結果が表示されるので、撮影者は撮影が正常に行われたか否かを撮影直後に確認することができる。
【００３２】
さらに、撮影の結果を診断に供する情報として直ちに得る必要がある場合には、操作パネル６０から診断に供する情報を表示させる命令を与え、その命令を受けた制御ＣＰＵ５２が、画像信号メモリ５１に記憶された検出画像信号Ｄａに対して倍率の設定および階調処理、鮮鋭化処理、ダイナミックレンジ圧縮処理等の必要な画像処理を施し、処理が施された画像は表示器２０に表示される。この画像処理が施された画像の表示により診断に供する情報を直ちに得ることができる。また、診断に供する情報として、表示器２０に表示された結果を可視画像としてプリントする場合には、再び操作パネル６０から画像を出力させる命令を制御ＣＰＵ５２に与える。画像を出力させる命令を受けた制御ＣＰＵ５２は、表示器２０に表示されている内容に応じた画像をプリントさせる画像出力信号Ｇｓを画像出力部３０に出力し、この画像出力信号Ｇｓを入力した画像出力部３０によって表示器２０に表示されている内容に応じた画像がプリント紙Ｐａに可視画像としてプリントされ出力される。ここで、表示されている内容に応じたとは、表示器と画像出力部では得られる画像の解像力が異なるので、表示器に表示されている内容に準じ、異なる解像度で画像がプリントされることを意味する。
【００３３】
なお、本発明の放射線固体検出装置は、図１に示すような放射線を検出する放射線固体検出センサおよびその前側に配された表示器が床に対して垂直に配置されている縦置型のものに限らず、例えば図６に示すように放射線固体検出センサ１０およびその前側に配された表示器２０が床に対して水平に配置されている横置型の装置にも適用することができ、横置型の装置の場合には、例えば図７（ａ）および（ｂ）に示すように横形の装置に適した撮影対象である足および手の図、挿し絵あるいは文字等を表示することにより同等の効果を得ることができる。
【００３４】
また、放射線固体検出センサと表示器とが重なる領域の表示については表示間隔を粗くして照射野のみを表示させ、重ならない領域の表示については表示間隔を細かくして図、挿し絵および文字等を表示させることもできる。
【００３５】
また、放射線固体検出センサと表示器とが重なる領域は図８に示すように、放射線固体検出センサの領域（輪郭Ｈｋで示す）を表示器が含んでいてもよいし（輪郭Ｒｙ１で示す）、表示器が放射線固体検出センサの領域に含まれていてもよいし（輪郭Ｒｙ２で示す）、あるいは両者の一部分の領域が重なっていてもよい（輪郭Ｒｙ３で示す）。
【００３６】
また、表示器の一部を図９に示すようにタッチパネルとして用い、表示器が操作パネルの機能を兼ねる構成とすることもできる。
【００３７】
上記のように、本発明の実施の形態によれば、撮影のセッティングに要する時間の短縮等により、撮影者および被撮影者双方の負担を軽減すると共に放射線固体検出装置の利用効率を高めることができる。
【図面の簡単な説明】
【図１】本発明の実施の形態による放射線固体検出装置の概略構成図
【図２】制御処理部で行う処理の詳細を示すブロック図
【図３】表示器に表示された照射野の例を示す図
【図４】（ａ）体を合わせる位置を表示した図
（ｂ）体を合わせる位置を示す図と文字を組み合わせて表示した図
（ｃ）体を合わせる位置を示す図と文字を組み合わせて表示した図
（ｃ）子供用に動画を表示した図
【図５】放射線画像を表示器に表示した図
【図６】本発明の実施の形態による放射線固体検出装置を横置型に構成したときの概略構成図
【図７】（ａ）横型に構成した放射線固体検出装置の表示器に表示される表示例の図
（ｂ）横型に構成した放射線固体検出装置の表示器に表示される表示例の図
【図８】放射線固体検出センサと表示器とが重なる領域を示す図
【図９】表示器の一部をタッチパネルとしたときの表示例の図
【符号の説明】
１０    放射線固体検出センサ
２０    表示器
３０    画像出力部
４０    スピーカ部
５０    制御処理部
６０    操作パネル
１００    放射線固体検出装置
２００    放射線源
３００    被写体
４００    スタンド
【図１】
0003999409.tif 000002
【図２】
0003999409.tif 000003
【図３】
0003999409.tif 000004
【図４】
0003999409.tif 000005
【図５】
0003999409.tif 000006
【図６】
0003999409.tif 000007
【図７】
0003999409.tif 000008
【図８】
0003999409.tif 000009
【図９】
0003999409.tif 000010